(57)【要約】【課題】繊維機械の状態等を、オペレータに気づかせやすくすること。【解決手段】自動ワインダ１は、左右方向に配列され、表示部５０を有する複数の巻取ユニット２と、複数の巻取ユニット２を制御する機台制御装置５と、自動ワインダ１の状態又は状態変化に関する状態情報と、自動ワインダ１の状態又は状態変化に対応した機台表示を表示部５０に行わせるための表示情報とを、関連付けて記憶する記憶部７を備える。機台制御装置５は、状態情報に関連付けられた表示情報に基づいて、表示部５０に機台表示を行わせる。これにより、オペレータに、自動ワインダ１の状態等を気づかせやすくすることができる。【選択図】図７
2018188270.tif 000002
【特許請求の範囲】
【請求項１】
機台長手方向に複数並んで配列され、情報を表示する表示部をそれぞれ有する糸処理ユニットと、
前記複数の糸処理ユニットを制御する機台制御部と、を備える繊維機械において、
前記機台制御部は、
前記繊維機械の状態又は状態変化に関する状態情報と、前記繊維機械の状態又は状態変化に対応した機台表示を前記表示部に行わせるための表示情報とを、関連づけて記憶する記憶部を備え、
前記状態情報に関連付けられた前記表示情報に基づいて、前記表示部に前記機台表示を行わせることを特徴とする繊維機械。
【請求項２】
前記機台制御部は、全ての前記糸処理ユニットでの糸処理が停止しているときに、前記表示部に前記機台表示を行わせることを特徴とする請求項１に記載の繊維機械。
【請求項３】
前記状態情報は、前記繊維機械が緊急停止中であることを示す緊急停止情報を含むことを特徴とする請求項１又は２に記載の繊維機械。
【請求項４】
前記状態情報は、全ての前記糸処理ユニットが糸処理停止中である、繊維機械の待機状態から、少なくとも一部の糸処理ユニットが糸処理を開始することを示す、処理開始情報を含むことを特徴とする請求項１〜３のいずれかに記載の繊維機械。
【請求項５】
前記状態情報は、前記繊維機械が保全モードであることを示す保全状態情報を含むことを特徴とする請求項１〜４のいずれかに記載の繊維機械。
【請求項６】
前記表示部は、ランプを有することを特徴とする請求項１〜５のいずれかに記載の繊維機械。
【請求項７】
前記表示情報は、前記ランプを点滅させる点滅表示情報を含むことを特徴とする請求項６に記載の繊維機械。
【請求項８】
前記表示情報は、複数の前記ランプを一斉に点滅させる一斉点滅表示情報を含むことを特徴とする請求項６又は７に記載の繊維機械。
【請求項９】
前記繊維機械が緊急停止中であることを示す緊急停止情報と、前記一斉点滅表示情報とが関連付けられていることを特徴とする請求項８に記載の繊維機械。
【請求項１０】
前記表示情報は、複数の前記ランプを前記機台長手方向の一方側から他方側へ順番に点灯させる順次点灯表示情報を含むことを特徴とする請求項６〜９のいずれかに記載の繊維機械。
【請求項１１】
前記表示情報は、複数の前記ランプを前記機台長手方向の一方側から他方側へ順番に点灯させ、且つ、点灯している前記ランプを前記機台長手方向の前記一方側から前記他方側へ順番に消灯させる流動表示情報を含むことを特徴とする請求項６〜１０のいずれかに記載の繊維機械。
【請求項１２】
糸処理停止中の前記糸処理ユニットが糸処理を開始することを示す処理開始情報と、前記流動表示情報とが関連付けられていることを特徴とする請求項１１に記載の繊維機械。
【請求項１３】
前記機台制御部は、糸処理停止中の前記糸処理ユニットが糸処理を開始する場合に、糸処理を開始するよりも前に、糸処理開始を予告する表示を前記ランプに行わせ、当該表示を開始してから所定時間経過後に、前記糸処理ユニットに糸処理を開始させることを特徴とする請求項６〜１２のいずれかに記載の繊維機械。
【請求項１４】
前記表示部は、文字表示部を有することを特徴とする請求項１〜１３のいずれかに記載の繊維機械。
【請求項１５】
前記表示情報は、前記状態情報に対応する文字を前記文字表示部に表示させる、文字表示情報を含むことを特徴とする請求項１４に記載の繊維機械。
【請求項１６】
前記表示情報は、全ての前記糸処理ユニットが糸処理停止中である、繊維機械の待機状態から、少なくとも一部の糸処理ユニットが糸処理を開始する場合に、糸処理開始までの残り時間を前記文字表示部に表示させる、時間表示情報を含むことを特徴とする請求項１４又は１５に記載の繊維機械。
【請求項１７】
前記機台長手方向の端部に配置され、前記繊維機械の状態を報知する報知ランプと、
前記機台長手方向の一端側の前記糸処理ユニットから他端側の前記糸処理ユニットに亘って移動する作業台車と、を備えることを特徴とする請求項１〜１６のいずれかに記載の繊維機械。
【請求項１８】
前記複数の糸処理ユニットは、糸が巻き付けられた給糸ボビンから前記糸を解舒して巻取ボビンに巻き取る複数の巻取ユニットであり、
前記給糸ボビンを前記複数の巻取ユニットに供給する給糸ボビン供給装置と接続されていることを特徴とする請求項１〜１７のいずれかに記載の繊維機械。
【発明の詳細な説明】
【技術分野】
【０００１】
本発明は、繊維機械に関する。
【背景技術】
【０００２】
糸処理ユニットを備える繊維機械の一例として、特許文献１及び２に、機台長手方向に配列された複数の巻取ユニットを備える自動ワインダが開示されている。まず、特許文献１に記載の自動ワインダにおいて、各巻取ユニットは、ＬＥＤランプと、ＬＥＤランプを制御するユニット制御部とを有する。糸巻取処理中に、ある巻取ユニットに不具合等が生じたとき、当該巻取ユニットのユニット制御部は、ＬＥＤランプを点灯させ、当該巻取ユニットの状態をオペレータに知らせる。
【０００３】
また、特許文献２に記載の自動ワインダは、機台長手方向の端部に配置されたタワーランプと、自動ワインダ全体を制御する機台制御装置とを備える。自動ワインダ全体に関する不具合が生じたとき、機台制御装置は、タワーランプを点灯又は点滅させ、オペレータの注意を喚起する。
【先行技術文献】
【特許文献】
【０００４】
【特許文献１】特開２０１６−２０４１３３号公報
【特許文献２】特開２０１６−５７７９４号公報
【発明の概要】
【発明が解決しようとする課題】
【０００５】
特許文献１に記載されたＬＥＤランプは、あくまで各巻取ユニットの個別の状態を知らせるためのものであり、巻取ユニットを含めた繊維機械全体の状態や状態変化は、特許文献２に記載されたタワーランプによって知らされる。しかし、タワーランプは機台長手方向の端部に配置されており、タワーランプが点灯等しても、オペレータが気づきにくい場合がある。一例として、オペレータが巻取ユニットのメンテナンス等を行っている場合、目の前の作業に集中している等の理由により、タワーランプによる注意喚起に気づきにくいおそれがある。しかしながら、タワーランプを機台長手方向に沿って複数台設置するには、コストの増加や配置スペースの増加等の問題がある。
【０００６】
本発明の目的は、繊維機械の状態等を、オペレータに気づかせやすくすることである。
【課題を解決するための手段】
【０００７】
第１の発明の繊維機械は、機台長手方向に複数並んで配列され、情報を表示する表示部をそれぞれ有する糸処理ユニットと、前記複数の糸処理ユニットを制御する機台制御部と、を備える繊維機械において、前記機台制御部は、前記繊維機械の状態又は状態変化に関する状態情報と、前記繊維機械の状態又は状態変化に対応した機台表示を前記表示部に行わせるための表示情報とを、関連づけて記憶する記憶部を備え、前記状態情報に関連付けられた前記表示情報に基づいて、前記表示部に前記機台表示を行わせることを特徴とするものである。
【０００８】
本発明では、繊維機械の状態情報に、糸処理ユニットの表示部による表示に関する表示情報が関連付けられている。この表示情報に基づき、機台制御部が表示部に機台表示を行わせる。つまり、糸処理ユニットの表示部によって、本来の用途である糸処理ユニット自体の状態等の表示だけでなく、繊維機械の状態等の表示も行われ、糸処理ユニットの前や周辺等にいるオペレータに繊維機械の状態等が知らされる。したがって、繊維機械の状態等を、オペレータに気づかせやすくすることができる。尚、本発明においてオペレータは繊維機械を操作して生産活動を行う作業者に限られない。メンテナンス専用の作業者や、繊維機械の改造を行う作業者も含まれている。
【０００９】
第２の発明の繊維機械は、前記第１の発明において、前記機台制御部は、全ての前記糸処理ユニットでの糸処理が停止しているときに、前記表示部に前記機台表示を行わせることを特徴とするものである。
【００１０】
糸処理ユニットが糸処理を行っている最中は、表示部は、本来の用途である、糸処理ユニット自体の状態の表示に使用される。全ての糸処理ユニットでの糸処理が停止しているときには、糸処理ユニット自体の状態等を表示する必要がないため、そのタイミングで、糸処理ユニットの表示部を用いて、繊維機械の状態等に対応した機台表示を行うことができる。
【００１１】
第３の発明の繊維機械は、前記第１又は第２の発明において、前記状態情報は、前記繊維機械が緊急停止中であることを示す緊急停止情報を含むことを特徴とするものである。
【００１２】
繊維機械が緊急停止した場合、緊急停止への対応を最優先させる必要が生じうる。本発明では、繊維機械が緊急停止中であることを示す緊急停止情報が状態情報に含まれるので、繊維機械が緊急停止したとき、糸処理ユニットの表示部によって機台表示がなされる。したがって、オペレータに緊急停止への対応を促すことができる。
【００１３】
第４の発明の繊維機械は、前記第１〜第３のいずれかの発明において、前記状態情報は、全ての前記糸処理ユニットが糸処理停止中である、繊維機械の待機状態から、少なくとも一部の糸処理ユニットが糸処理を開始することを示す、処理開始情報を含むことを特徴とするものである。
【００１４】
糸処理を停止している糸処理ユニットが糸処理を開始する場合、オペレータは、安全確保のため、糸処理ユニットから離れる必要がある。本発明では、繊維機械の待機状態から、糸処理ユニットが糸処理を開始する場合に、糸処理ユニットの表示部によって機台表示がなされる。したがって、オペレータに糸処理ユニットから離れることを促すことができる。
【００１５】
第５の発明の繊維機械は、前記第１〜第４のいずれかの発明において、前記状態情報は、前記繊維機械が保全モードであることを示す保全状態情報を含むことを特徴とするものである。
【００１６】
本発明では、繊維機械が保全モードである場合に、糸処理ユニットの表示部によって機台表示がなされる。したがって、オペレータが安心して糸処理ユニットのメンテナンス等を行うことができる。また、メンテナンスを行っていない他のオペレータにも、繊維機械が保全モードであることを認識させ、誤って通常運転させること等を防止できる。
【００１７】
第６の発明の繊維機械は、前記第１〜第５のいずれかの発明において、前記表示部は、ランプを有することを特徴とするものである。
【００１８】
本発明では、表示部のランプが発する光によって、オペレータの注意を惹きやすくすることができる。
【００１９】
第７の発明の繊維機械は、前記第６の発明において、前記表示情報は、前記ランプを点滅させる点滅表示情報を含むことを特徴とするものである。
【００２０】
本発明では、ランプが点滅したとき、表示が目に留まりやすく、オペレータの注意を強く惹くことができる。
【００２１】
第８の発明の繊維機械は、前記第６又は第７の発明において、前記表示情報は、複数の前記ランプを一斉に点滅させる一斉点滅表示情報を含むことを特徴とするものである。
【００２２】
本発明では、複数の糸処理ユニットのランプが一斉に点滅することで、オペレータの注意を非常に強く喚起できる。
【００２３】
第９の発明の繊維機械は、前記第８の発明において、前記繊維機械が緊急停止中であることを示す緊急停止情報と、前記一斉点滅表示情報とが関連付けられていることを特徴とするものである。
【００２４】
本発明では、複数の糸処理ユニットのランプが一斉に点滅することで、繊維機械が緊急停止中であることを示す表示がなされる。このため、オペレータに対し、緊急停止への対応を強く促すことができる。
【００２５】
第１０の発明の繊維機械は、前記第６〜第９のいずれかの発明において、前記表示情報は、複数の前記ランプを前記機台長手方向の一方側から他方側へ順番に点灯させる順次点灯表示情報を含むことを特徴とするものである。
【００２６】
本発明では、順次点灯表示情報に基づく表示が行われたとき、複数の糸処理ユニットのランプが、時間経過とともに機台長手方向の一方側から他方側に向かって順番に点灯する。このような表示は、複数のランプが一斉に点滅する場合ほどではなくても、オペレータの目に留まりやすく、且つ、理解しやすい表示である。このため、オペレータの注意を惹くとともに、オペレータに所定の行動を促すことができる。
【００２７】
第１１の発明の繊維機械は、前記第６〜第１０のいずれかの発明において、前記表示情報は、複数の前記ランプを前記機台長手方向の一方側から他方側へ順番に点灯させ、且つ、点灯している前記ランプを前記機台長手方向の前記一方側から前記他方側へ順番に消灯させる流動表示情報を含むことを特徴とするものである。
【００２８】
本発明では、流動表示情報に基づく表示が行われたとき、複数の糸処理ユニットのランプによる表示が、時間経過とともに機台長手方向の一方側から他方側に向かって流れるように見える。したがって、オペレータの目に留まりやすく、且つ、理解しやすい表示によって、オペレータの注意を強く惹きつつ、オペレータに行動を促すことができる。
【００２９】
第１２の発明の繊維機械は、前記第１１の発明において、糸処理停止中の前記糸処理ユニットが糸処理を開始することを示す処理開始情報と、前記流動表示情報とが関連付けられていることを特徴とするものである。
【００３０】
本発明では、糸処理停止中の糸処理ユニットが糸処理を開始することを示す処理開始情報と、複数の糸処理ユニットのランプによる流れるような流動表示情報とが関連付けられている。このため、オペレータの注意を惹き、オペレータに糸処理ユニットから離れることを確実に促すことができる。
【００３１】
第１３の発明の繊維機械は、前記第６〜第１２のいずれかの発明において、前記機台制御部は、糸処理停止中の前記糸処理ユニットが糸処理を開始する場合に、糸処理を開始するよりも前に、糸処理開始を予告する表示を前記ランプに行わせ、当該表示を開始してから所定時間経過後に、前記糸処理ユニットに糸処理を開始させることを特徴とするものである。
【００３２】
本発明では、糸処理停止中の糸処理ユニットが糸処理を開始するよりも前に糸処理開始を予告する表示が行われ、所定時間経過後に糸処理が開始する。つまり、糸処理開始に先立ってオペレータへの注意喚起がされるので、オペレータの安全を確実に確保することができる。
【００３３】
第１４の発明の繊維機械は、前記第１〜第１３のいずれかの発明において、前記表示部は、文字表示部を有することを特徴とするものである。
【００３４】
本発明では、文字表示部によって、繊維機械の状態等に応じて多くの種類の情報が表示可能である。したがって、文字表示部に表示される文字を見ることで、繊維機械の状態等を一目で知ることができる。
【００３５】
第１５の発明の繊維機械は、前記第１４の発明において、前記表示情報は、前記状態情報に対応する文字を前記文字表示部に表示させる、文字表示情報を含むことを特徴とするものである。
【００３６】
本発明では、繊維機械の状態情報に対応する文字が文字表示部に表示されるため、オペレータに繊維機械の状態等を詳細に知らせることができる。
【００３７】
第１６の発明の繊維機械は、前記第１４又は第１５の発明において、前記表示情報は、全ての前記糸処理ユニットが糸処理停止中である、繊維機械の待機状態から、少なくとも一部の糸処理ユニットが糸処理を開始する場合に、糸処理開始までの残り時間を前記文字表示部に表示させる、時間表示情報を含むことを特徴とするものである。
【００３８】
本発明では、繊維機械の待機状態から、糸処理ユニットが糸処理を開始する場合に、糸処理ユニットの糸処理開始までの時間が文字表示部に表示される。したがって、安全確保のために糸処理ユニットから離れるタイミングについて、オペレータに判断を促すことができる。
【００３９】
第１７の発明の繊維機械は、前記第１〜第１６のいずれかの発明において、前記機台長手方向の端部に配置され、前記繊維機械の状態を報知する報知ランプと、前記機台長手方向の一端側の前記糸処理ユニットから他端側の前記糸処理ユニットに亘って移動する作業台車と、を備えることを特徴とするものである。
【００４０】
機台長手方向端部に報知ランプが配置されていても、作業台車が、一端側の糸処理ユニットから他端側の糸処理ユニットに亘って移動する構成になっていると、作業台車の位置によっては、オペレータによる報知ランプの視認が妨げられるおそれがある。このような場合でも、本発明では、糸処理ユニットの表示部によって機台表示がなされるので、繊維機械の状態等を迅速に知ることができる。
【００４１】
第１８の発明の繊維機械は、前記第１〜第１７のいずれかの発明において、前記複数の糸処理ユニットは、糸が巻き付けられた給糸ボビンから前記糸を解舒して巻取ボビンに巻き取る複数の巻取ユニットであり、前記給糸ボビンを前記複数の巻取ユニットに供給する給糸ボビン供給装置と接続されていることを特徴とするものである。
【００４２】
本発明の糸処理ユニットは、糸を給糸ボビンから解舒して巻取ボビンに巻き取る巻取ユニットである。また、繊維機械は、複数の巻取ユニットに給糸ボビンを供給する給糸ボビン供給装置と接続されている。この給糸ボビン供給装置が、給糸ボビンの供給待ち等によって一時的に停止すると、巻取ユニットも給糸ボビン供給待ちの状態になり、糸処理が一時的に停止する。その間に、オペレータが巻取ユニットのメンテナンス等を行う場合もある。このように、糸処理の一時停止等がしばしば起こりうる繊維機械において、巻取ユニットの表示部によって繊維機械の状態等をオペレータに知らせることは有効である。
【図面の簡単な説明】
【００４３】
【図１】本実施形態に係る自動ワインダの正面図である。
【図２】自動ワインダの電気的構成を示すブロック図である。
【図３】巻取ユニットの概略的な正面図である。
【図４】表示部の正面図である。
【図５】状態情報と表示情報との関連付けを示すテーブルである。
【図６】各巻取ユニットのランプ点滅の時間変化のデータを示す図である。
【図７】機台制御装置による巻取ユニットの制御の一例を示すフローチャートである。
【図８】各巻取ユニットのランプの点滅を示す模式図である。
【図９】変形例に係る、状態情報と表示情報との関連付けを示すテーブルである。
【図１０】文字表示部による表示を示す説明図である。
【図１１】別の変形例に係る、各巻取ユニットのランプ点滅の時間変化のデータを示す図である。
【発明を実施するための形態】
【００４４】
次に、本発明の実施の形態について、図１〜図８を参照しながら説明する。なお、図１に示すように、複数の巻取ユニット２（本発明の糸処理ユニット）が配列された方向を左右方向（本発明の機台長手方向）とし、重力が作用する方向を上下方向とする。
【００４５】
（自動ワインダの概略構成）
まず、自動ワインダ１（本発明の繊維機械）の概略構成について、図１及び図２を用いて説明する。図１は、本実施形態に係る自動ワインダ１の正面図である。図２は、自動ワインダ１の電気的構成を示すブロック図である。自動ワインダ１は、複数の巻取ユニット２と、玉揚装置３（本発明の作業台車）と、タワーランプ４（本発明の報知ランプ）と、機台制御装置５（本発明の機台制御部）等を備える。
【００４６】
複数の巻取ユニット２は、左右方向に配列され、各々が、給糸ボビンＢｋから解舒された糸Ｙを巻取ボビンＢｍ（図３参照）に巻き取ってパッケージＰを形成する。なお、本実施形態では、一例として１２錘の巻取ユニット２が並んでいるが、これに限られるものではない。玉揚装置３は、複数の巻取ユニット２の上方に配置され、左端側（本発明の一端側）の巻取ユニット２から右端側（本発明の他端側）の巻取ユニット２に亘って左右方向に移動可能に構成されている。玉揚装置３は、巻取ユニット２からの満巻の信号を受信したときに、その巻取ユニット２の上方に移動して、満巻のパッケージＰの取り外し、及び、空の巻取ボビンＢｍの巻取ユニット２への装着などの作業を行う。タワーランプ４は、機台制御装置５の上面に設置され、自動ワインダ１に不具合等が発生したときに、点灯又は点滅することでオペレータに不具合等を報知する。
【００４７】
自動ワインダ１には、給糸ボビン供給装置（Continuous Bobbin Feeder）８が接続されている。給糸ボビン供給装置８は、給糸ボビンＢｋを自動ワインダ１の各巻取ユニット２に供給するためのものである。給糸ボビン供給装置８の一例として、粗糸を精紡して給糸ボビンＢｋに巻き取る精紡機（不図示）と直結され、精紡機から自動供給される給糸ボビンＢｋを各巻取ユニット２に分配するリンクコーナータイプのものが挙げられる。また、自動ワインダ１の下部には、ベルトコンベア等で構成されたボビン搬送装置９が設けられている。給糸ボビン供給装置８から搬出された給糸ボビンＢｋは、ボビン搬送装置９によって搬送されて、各巻取ユニット２に分配される。
【００４８】
機台制御装置５は、複数の巻取ユニット２の左方に配置されている。機台制御装置５は、巻取ユニット２のユニット制御部６０、玉揚装置３の制御部（不図示）、給糸ボビン供給装置８の制御部（不図示）と電気的に接続され、これらの制御部との通信を行う。また、機台制御装置５は、タワーランプ４、ボビン搬送装置９と電気的に接続され、これらの制御を行う。また、機台制御装置５は、図２に示すように、設定部６と、記憶部７等を有する。設定部６は、操作部６ａとディスプレイ６ｂとを有する。設定部６は、オペレータがディスプレイ６ｂを見ながら操作部６ａを操作することで、機台制御装置５が種々の制御を行うために必要な設定をすることが可能な構成になっている。オペレータが行った設定は、記憶部７に記憶される。
【００４９】
（巻取ユニット）
次に、巻取ユニット２の構成について、図２〜図４を用いて説明する。図３は、巻取ユニット２の概略的な正面図である。図４は、後述する表示部５０の正面図である。
【００５０】
図３に示すように、巻取ユニット２は、ユニット本体１０と、給糸部２０と、糸処理実行部３０と、巻取部４０と、表示部５０と、ユニット制御部６０等を有する。ユニット本体１０は、床面に立設配置された上下方向に長い柱状の部材である。給糸部２０、糸処理実行部３０、巻取部４０は、ユニット本体１０に設けられ、この順に、下から上へ並べて配置されている。表示部５０は、ユニット本体１０の上端部の前面に設けられている。
【００５１】
給糸部２０は、給糸ボビンＢｋに巻き付けられた糸Ｙを解舒しながら供給するためのものである。給糸部２０は、給糸ボビン支持部２１と、糸解舒補助装置２２とを有する。給糸ボビン支持部２１は、給糸ボビンＢｋを略直立状態に支持する。給糸ボビン支持部２１は、空になった給糸ボビンＢｋを排出可能な構成になっている。空の給糸ボビンＢｋが排出されると、給糸ボビン供給装置８から供給された新しい給糸ボビンＢｋが、ボビン搬送装置９によって搬送されて給糸ボビン支持部２１に供給される。糸解舒補助装置２２は、給糸ボビンＢｋから糸Ｙを解舒される際の膨らみを、規制ユニット２３によって規制する。また、給糸部２０には、給糸ボビンＢｋが給糸ボビン支持部２１に正常に供給されたか否かを検知する検知部（不図示）が設けられている。
【００５２】
糸処理実行部３０は、糸Ｙに関する様々な処理を実行するためのものである。糸処理実行部３０は、ヤーンフィーラ３１、テンション付与装置３２、糸継装置３３、ヤーンクリアラ３４等を有する。
【００５３】
ヤーンフィーラ３１は、糸解舒補助装置２２とテンション付与装置３２との間において、走行する糸Ｙの有無を検出するものである。テンション付与装置３２は、走行する糸Ｙに所定のテンションを付与するものである。テンション付与装置３２の一例として、いわゆるゲート式のものが挙げられる。図３に示すように、複数の固定ゲート体３２ａと複数の可動ゲート体３２ｂとが、上下方向に交互に配置されている。そして、複数の可動ゲート体３２ｂの水平方向の位置を調整することによって、固定ゲート体３２ａと可動ゲート体３２ｂとの間を走行する糸Ｙに所定のテンションを付与する。糸継装置３３は、給糸部２０と巻取部４０との間で糸Ｙが繋がっていない状態になったときに、給糸部２０側の糸Ｙ（下糸Ｙ１）と巻取部４０側の糸Ｙ（上糸Ｙ２）とを糸継ぎするためのものである。糸Ｙが繋がっていない状態になる場合としては、例えば、後述するヤーンクリアラ３４により糸欠陥が検出されたときのカッター３４ａによる糸切断時、パッケージＰの巻取中における糸切れ時、あるいは、給糸ボビンＢｋの交換時等がある。糸継装置３３の一例としては、圧縮空気式のものを挙げることができる。糸継装置３３は、下糸Ｙ１と上糸Ｙ２に圧縮空気を吹き付け、両方の糸端を一旦ほぐした後、両方の糸端に再度圧縮空気を吹き付け、糸端同士を絡み合わせることで糸継ぎをする。
【００５４】
糸継装置３３の下側には、給糸ボビンＢｋ側の下糸Ｙ１を捕捉して糸継装置３３へ案内する下糸捕捉案内部材３５が設けられ、糸継装置３３の上側には、パッケージＰ側の上糸Ｙ２を捕捉して糸継装置３３へ案内する上糸捕捉案内部材３６が設けられている。下糸捕捉案内部材３５は、軸３５ａを中心に回転可能であり、モータ（不図示）によって回転駆動されることで上下に旋回する。下糸捕捉案内部材３５は、その先端部に下糸Ｙ１の糸端部を吸引捕捉する吸引部３５ｂを有する。上糸捕捉案内部材３６は、軸３６ａを中心に回転可能であり、モータ（不図示）によって回転駆動されることで上下に旋回する。上糸捕捉案内部材３６は、その先端部に上糸Ｙ２の糸端部を吸引捕捉する吸引部３６ｂを有する。下糸捕捉案内部材３５及び上糸捕捉案内部材３６は、それぞれ不図示の負圧源に接続されている。下糸捕捉案内部材３５は、吸引部３５ｂで下糸Ｙ１の糸端部を捕捉した状態で、モータによって駆動されて上方へ旋回し、糸継装置３３に下糸Ｙ１を案内する。上糸捕捉案内部材３６は、まず、モータによって駆動されて上方へ旋回する。これによって、吸引部３６ｂが、パッケージＰの近傍に位置し、パッケージＰの表面に付着している上糸Ｙ２の糸端部を吸引して捕捉する。上糸Ｙ２の捕捉後に、上糸捕捉案内部材３６は、モータによって駆動されて下方へ旋回し、糸継装置３３に上糸Ｙ２を案内する。糸継装置３３は、案内されてきた下糸Ｙ１と上糸Ｙ２とを糸継ぎする。
【００５５】
ヤーンクリアラ３４は、走行する糸Ｙの太さの情報を取得し、この情報に基づいて、糸Ｙの所定の太さ以上の部分を糸欠陥として検出する。ヤーンクリアラ３４の近傍にはカッター３４ａが配置されている。ヤーンクリアラ３４によって糸欠陥が検出されたとき、カッター３４ａが即座に糸Ｙを切断するとともに、ヤーンクリアラ３４は、検出信号をユニット制御部６０へ出力する。
【００５６】
巻取部４０は、糸Ｙを巻取ボビンＢｍに巻き取ってパッケージＰを形成するためのものである。巻取部４０は、巻取ボビンＢｍを回転自在に保持するクレードル４１と、綾振ドラム４２と、綾振ドラム４２を回転させるドラム駆動モータ４３とを有する。綾振ドラム４２の外周面には、綾振り溝４２ａが形成されている。綾振ドラム４２は、この綾振り溝４２ａに糸Ｙを通しながら回転することで、糸Ｙを所定の幅でトラバース（綾振り）させる。そして、綾振ドラム４２が、綾振り溝４２ａによって糸Ｙをトラバースさせながら、巻取ボビンＢｍに形成されたパッケージＰに接触した状態で回転することで、綾振ドラム４２との接触摩擦によってパッケージＰ及び巻取ボビンＢｍが従動回転し、糸Ｙが巻取ボビンＢｍに巻き取られる。
【００５７】
表示部５０は、巻取ユニット２自体の状態に関する表示を行うためのものである。図３及び図４に示すように、表示部５０は、５つのランプ５１（ランプ５１ａ〜５１ｅ）と、文字表示部５２等を有する。
【００５８】
ランプ５１は、巻取ユニット２に状態変化があったときに点灯することで、オペレータに巻取ユニット２の状態又は状態変化を知らせるためのものである。ランプ５１は、例えばＬＥＤランプであり、それぞれ赤、青の２色の光を出力可能に構成されている。ランプ５１ａ、５１ｂは、巻取ユニット２の状態変化があったこと自体をオペレータに知らせるためのものである。図４に示すように、ランプ５１ａは、表示部の上下方向略中央の左端部に配置され、ランプ５１ｂは同じく右端部に配置されている。ランプ５１ｃ〜５１ｅは、巻取ユニット２の上、中、下部のどの位置に異常があったかを知らせるためのものである。ランプ５１ｃは、上下方向及び左右方向において、表示部の略中央に配置されている。ランプ５１ｄはランプ５１ｃの上方に、ランプ５１ｅはランプ５１ｃの下方に、それぞれ配置されている。なお、５つのランプ５１の下方には、手動ボタン５３が設けられている。
【００５９】
図４に示すように、文字表示部５２は、巻取ユニット２の具体的な状態に関する文字を表示するためのものであり、５つのランプ５１の上方に配置されている。文字表示部５２は、例えば３桁の７セグメント表示の液晶ディスプレイである。文字表示部５２は、ユニット制御部６０から送られる制御信号に基づいて文字表示を行う。
【００６０】
ユニット制御部６０は、ユニット本体１０に内蔵されており、ＣＰＵと、ＲＯＭと、ＲＡＭ等を備える。ユニット制御部６０は、ＲＯＭに格納されたプログラムに従い、ＣＰＵにより各部を制御する。具体的には、ヤーンクリアラ３４等からの信号の受信や、糸解舒補助装置２２、糸継装置３３、ドラム駆動モータ４３、表示部５０等の制御を行う。また、ユニット制御部６０は、機台制御装置５からの制御信号に基づき、表示部５０に所定の表示を行わせる。詳細については後述する。
【００６１】
以上の構成を備える巻取ユニット２において、ユニット制御部６０が、パッケージＰと綾振ドラム４２とを接触させた状態でドラム駆動モータ４３を駆動して綾振ドラム４２を回転させることで、給糸ボビンＢｋから解舒された糸Ｙを巻取ボビンＢｍに巻き取ってパッケージＰを形成する糸巻取処理（本発明の糸処理）が行われる。
【００６２】
（巻取ユニット自体の状態に関する表示）
ユニット制御部６０は、巻取ユニット２の状態等に応じた表示を表示部５０に行わせる。巻取ユニット２自体の状態又は状態変化としては、パッケージＰが満巻になったことに伴う、玉揚装置３による玉揚待ちの状態や、給糸ボビンＢｋの供給ミス等のトラブルによる巻取ユニット２の動作停止（状態変化）等が挙げられる。
【００６３】
巻取ユニット２自体の状態表示の一例について説明する。巻取ユニット２が稼動中、すなわち通常運転中は、表示部５０には何も表示されない（図４（ａ）参照）。パッケージＰが満巻になって玉揚待ち状態になった場合、ユニット制御部６０は、ランプ５１ａ、５１ｂを青色に点灯させる（図４（ｂ）のハッチングされた部分）。また、巻取ユニット２に異常が起こった場合は、以下のような表示が行われる。例えば、給糸ボビン支持部２１（図３参照）への給糸ボビンＢｋの供給ミスが起こったとき、ユニット制御部６０は、検知部（不図示）の検出結果に基づき、糸巻取動作を停止させる。それと共に、ユニット制御部６０は、図４（ｂ）に示すように、左右両側のランプ５１ａ、５１ｂ、及び、巻取ユニット２の下部において異常があったことを示すランプ５１ｅを、赤色に点灯させる（図４（ｂ）の塗りつぶされた部分）。また、ユニット制御部６０は、文字表示部５２を制御して、ボビン供給ミスがあったことを示す文字（図４（ｂ）の「ｂ０」）を表示させる。なお、異常停止でなく、単に待機中である等の理由により、ある巻取ユニット２の糸巻取処理が停止している場合、その巻取ユニット２の表示部５０には何も表示されない。
【００６４】
上記のように、糸巻取処理中に巻取ユニット２自体の状態変化があった場合、表示部５０による表示が行われる。一方、自動ワインダ１全体の稼動に関わる状態変化があった場合には、従来、機台制御装置５がタワーランプ４を点灯又は点滅させることで、オペレータに異常等が報知される。しかしながら、状況によっては、タワーランプ４による報知にオペレータが気づきにくい場合がある。例えば、オペレータがある巻取ユニット２に対してメンテナンス等を行っている場合、作業に集中していてタワーランプ４の点灯等に気づかないおそれがある。或いは、玉揚装置３によってタワーランプ４の視認が妨げられるおそれがある。例えば、玉揚装置３が左端側の巻取ユニット２の前に移動したとき等に、オペレータとの位置関係によっては、機台制御装置５の上面に設置されたタワーランプ４が、玉揚装置３の陰に隠れて見えにくくなる。
【００６５】
オペレータによるタワーランプ４の視認が遅れると、以下のような問題が生じうる。例えば、トラブルによって自動ワインダ１全体が緊急停止した場合、上記トラブルに優先的に対応する必要があるが、自動ワインダ１の緊急停止の察知が遅れると、生産ロスにつながるおそれがある。緊急停止の理由には様々なものがあるが、主として、複数の巻取ユニット２に共通の設備の異常が挙げられる。上記共通の設備とは、例えば、前述した玉揚装置３（図１参照）や、吸引部３５ｂ、３６ｂ（図３参照）の不図示の負圧源等である。
【００６６】
また、全ての巻取ユニット２が、糸巻取処理を停止している状態から自動的、且つ、一斉に糸巻取処理を開始する場合がある。例えば、前述した不図示の精紡機から給糸ボビン供給装置８への給糸ボビンＢｋの供給待ち時、精紡機による精紡待ち時、機台制御装置５における更新プログラムのインストール時等には、各巻取ユニット２の糸巻取処理が一時的に停止する。つまり、糸巻取処理が再開可能になるまでの間、全ての巻取ユニット２が単に待機しているような状況がある。このような場合、糸巻取処理が開始可能になり次第、機台制御装置５は、各巻取ユニット２に自動的に糸巻取処理を再開させる。ここで、巻取ユニット２が待機している間、オペレータが巻取ユニット２のメンテナンス等を行うことがあるが、糸巻取処理の再開に際しては、安全確保のため、巻取ユニット２から速やかに離れる必要がある。
【００６７】
これらの理由により、自動ワインダ１の状態等を、オペレータに気づかせやすくする必要がある。しかしながら、タワーランプ４を左右方向に沿って複数台設置するには、コストの増加や配置スペースの増加等の問題がある。また、自動ワインダ１が設置される工場においては、各種装置の稼動音が大きいため、音による報知は聞き取りにくく、現実的ではない。そこで、本実施形態では、機台制御装置５が、自動ワインダ１全体に関わる状態又は状態変化に関する情報を、巻取ユニット２の表示部５０を用いて表示させるように設定されている。以下、具体的に、図５及び図６を用いて説明する。図５は、後述する状態情報と表示情報との関連付けを示すテーブルである。図６は、各巻取ユニット２のランプ点滅の時間変化のデータを示す図である。
【００６８】
（機台制御装置の設定）
機台制御装置５の設定について説明する。機台制御装置５の記憶部７には、図５に示すように、自動ワインダ１の状態又は状態変化に関する状態情報と、複数の巻取ユニット２の表示部５０に行わせる表示に関する表示情報とが記憶されている。
【００６９】
まず、状態情報について説明する。状態情報は、自動ワインダ１の状態又は状態変化に関する情報である。記憶部７には、例えば、緊急停止情報Ａ１と、処理開始情報Ａ２と、保全状態情報Ａ３とが記憶されている。緊急停止情報Ａ１は、自動ワインダ１が前述のように緊急停止したという状態変化を示す情報である。処理開始情報Ａ２は、全ての巻取ユニット２での糸巻取処理が一時的に停止している、自動ワインダ１の待機状態から、少なくとも一部の巻取ユニット２が糸巻取処理を自動開始するという状態変化を示す情報である。保全状態情報Ａ３は、自動ワインダ１がメンテナンス可能な保全モードである（すなわち、自動ワインダ１全体が稼動を停止している）という状態を示す情報である。
【００７０】
次に、表示情報について説明する。表示情報は、機台制御装置５が、各巻取ユニット２のユニット制御部６０を介して、自動ワインダ１の状態又は状態変化に対応した機台表示を各表示部５０に行わせるための情報である。詳細には、表示情報は、各巻取ユニット２のランプ５１の点灯及び消灯のタイミングに関するデータ（ランプの色の情報を含む）である。記憶部７には、例えば、一斉点滅表示情報Ｂ１と、流動表示情報Ｂ２と、対称表示情報Ｂ３が記憶されている。以下、各表示情報の詳細について説明する。
【００７１】
図６（ａ）〜（ｃ）には、それぞれ、一斉点滅表示情報Ｂ１、流動表示情報Ｂ２、対称表示情報Ｂ３の概念図が示されている。横軸は、１２錘の巻取ユニット２の番号（左方側の巻取ユニット２ほど小さい数字）を、縦軸は、表示開始からの経過時間ｔを、それぞれ示す。ｔ０は、単位時間である。単位時間ｔ０の長さは、例えば０．１〜０．３秒である。いずれの表示情報も、ランプ５１を点滅させる点滅表示情報である。
【００７２】
まず、一斉点滅表示情報Ｂ１について説明する。一斉点滅表示情報Ｂ１は、全ての巻取ユニット２の表示部５０を一斉点滅させるための情報である。すなわち、ｔ＝ｔ０又は３ｔ０のとき、全ての巻取ユニット２のランプ５１を赤色（図６（ａ）の塗りつぶされた部分）に点灯させ、ｔ＝２ｔ０又は４ｔ０のとき、全ての巻取ユニット２のランプ５１を消灯させる情報である。一斉点滅表示情報Ｂ１は、複数の表示情報の中で最も目立ちやすい表示に関する情報である。したがって、オペレータに最も強く注意喚起したい状況で使用することが望ましい。
【００７３】
次に、流動表示情報Ｂ２について説明する。流動表示情報Ｂ２は、一部の巻取ユニット２のランプ５１を点灯させ、その表示が時間経過とともに左右方向に流れているように見せるための情報である。具体的には、流動表示情報Ｂ２は、複数の巻取ユニット２のランプ５１を左側から右側（本発明の他方側）へ順番に点灯させ、且つ、点灯しているランプ５１を左側から右側へ順番に消灯させる情報である。すなわち、ｔ＝ｔ０において左側（本発明の一方側）から１〜３番目の巻取ユニット２のランプ５１を青色（図６（ｂ）のハッチングされた部分）に点灯させる。次に、ｔ＝２ｔ０において、左から１番目の巻取ユニット２のランプ５１を消灯させ、左から４番目の巻取ユニット２のランプ５１を点灯させる。以下同様にして、左側から１０〜１２番目の巻取ユニット２のランプ５１まで点灯させた後、一連の表示を終わらせる。流動表示情報Ｂ２は、一斉点滅表示情報Ｂ１ほどではないが、目に留まりやすく、また、オペレータが理解しやすい表示に関する情報である。したがって、オペレータの意識を惹き付けたい状況で使用することが望ましい。
【００７４】
次に、対称表示情報Ｂ３について説明する。対称表示情報Ｂ３は、複数の巻取ユニット２のランプ５１による表示が左右対称に見えるようにするための情報である。すなわち、対称表示情報Ｂ３は、左からｋ番目の巻取ユニット２のランプ５１と、左から（１２−ｋ＋１）番目（すなわち、右からｋ番目）の巻取ユニット２のランプ５１を、同じタイミングで点滅させる表示情報である。その一例が、図６（ｃ）に示されている。なお、前述した一斉点滅表示情報Ｂ１に基づく表示も、対称表示の一種ではあるが、ここでは、一斉点滅表示情報Ｂ１は、対称表示情報Ｂ３には含まれないものとする。この対称表示情報Ｂ３は、一斉点滅表示情報Ｂ１や流動表示情報Ｂ２と比べれば、やや目立ちにくいため、緊急性が比較的低い状況で使用するのが良い。
【００７５】
ここで、状態情報と表示情報は、互いに関連付けられている。まず、オペレータによる迅速な対応が求められる、自動ワインダ１の緊急停止を示す緊急停止情報Ａ１と、オペレータに最も強く注意喚起できる表示に関する一斉点滅表示情報Ｂ１とが関連付けられている。また、処理開始情報Ａ２と、比較的目に留まりやすく、オペレータが理解しやすい表示に関する流動表示情報Ｂ２とが関連付けられている。また、自動ワインダ１がメンテナンス可能であることを示す保全状態情報Ａ３と、緊急性が比較的低い状況で使用可能な対称表示情報Ｂ３とが関連付けられている。
【００７６】
（機台制御装置による巻取ユニットの制御）
次に、機台制御装置５による巻取ユニット２の制御の一例について、図７及び図８を用いて説明する。図７は、制御の一例を示すフローチャートである。図８は、各巻取ユニット２のランプ５１の点滅を示す模式図である。
【００７７】
ここでは、給糸ボビン供給装置８（ＣＢＦ）が、精紡機からの給糸ボビンＢｋの供給待ちにより動作を一時的に停止する場合について説明する。まず、給糸ボビン供給装置８の制御部から、給糸ボビン供給装置８の動作の一時的な停止を示す信号が機台制御装置５に入力される（Ｓ１０１）。この信号に基づき、機台制御装置５は全ての巻取ユニット２のユニット制御部６０に糸巻取処理を停止させる信号を送り、糸巻取処理を停止させる（Ｓ１０２）。
【００７８】
その後、精紡機から給糸ボビン供給装置８に給糸ボビンＢｋが供給され、給糸ボビン供給装置８が動作を再開するとき、給糸ボビン供給装置８の制御部から、給糸ボビン供給装置８の動作再開を示す信号が機台制御装置５に入力される（Ｓ１０３）。つまり、巻取ユニット２の糸巻取処理開始を示す処理開始情報Ａ２が、機台制御装置５に入力される。この時点では、まだ、全ての巻取ユニット２での糸巻取処理が停止している。機台制御装置５は、糸巻取処理の開始に先立って、記憶部７に記憶されている、処理開始情報Ａ２と関連付けられた流動表示情報Ｂ２を読み込む。また、機台制御装置５は、流動表示情報Ｂ２に基づく流動表示を行う表示時間を決定する。表示時間に関する情報は、例えば記憶部７に記憶されている。本実施形態では、表示時間の長さは、流動表示を開始してから巻取ユニット２に糸巻取処理を開始させるまでの所定時間（例えば１０秒）と同じである。
【００７９】
次に、機台制御装置５は、流動表示情報Ｂ２に基づいて、各巻取ユニット２に対応した単位時間ごとのランプ５１の点灯又は消灯に関する表示信号を随時作成し、表示信号を各ユニット制御部６０に送る。各ユニット制御部６０は、機台制御装置５から受け取った信号に基づいてランプ５１を点灯又は消灯させる。このようにして、機台制御装置５は、自動ワインダ１の状態変化に対応した機台表示、すなわち糸巻取処理の開始を予告する流動表示を、各巻取ユニット２のランプ５１に実行させる（Ｓ１０４）。これにより、オペレータに対し、巻取ユニット２から離れることが促される。
【００８０】
ランプ５１の点滅の様子を、図８に示す。詳細な図示は省略するが、本実施形態では、機台制御装置５は、各巻取ユニット２の表示部５０において、５つのランプ５１（ランプ５１ａ〜５１ｅ）全てを点滅させる。表示開始からの経過時間ｔに応じて、複数の巻取ユニット２のランプ５１による表示が、流れるように見える。例えば、ｔ＝ｔ０のときは左から１〜３番目の巻取ユニット２のランプ５１が点灯している（図８（ａ）参照）。同様に、ｔ＝４ｔ０のときは左から４〜６番目、ｔ＝７ｔ０のときは左から７〜９番目、ｔ＝１０ｔ０のときは左から１０〜１２番目の巻取ユニット２のランプ５１が、それぞれ点灯している（それぞれ図８（ｂ）、（ｃ）、（ｄ）参照）。
【００８１】
機台制御装置５は、流動表示の開始から所定時間が経過するまでの間、各巻取ユニット２のランプ５１に流動表示を行わせる（Ｓ１０５）。なお、流動表示１回分の時間（図７（ｂ）における１１ｔ０）よりも表示時間が長い場合は、上記所定時間が経過するまで、流動表示情報Ｂ２に基づいて表示信号を繰り返し作成し、表示信号を各ユニット制御部６０に送り続ける。そして、所定時間経過後、機台制御装置５は、全ての巻取ユニット２のランプ５１を消灯させ、糸巻取処理を開始する信号を各ユニット制御部６０に送り、各巻取ユニット２に糸巻取処理を開始させる（Ｓ１０６）。
【００８２】
以上が、処理開始情報Ａ２及び流動表示情報Ｂ２に基づく、機台制御装置５による巻取ユニット２の一連の制御である。緊急停止情報Ａ１及び一斉点滅表示情報Ｂ１に基づく制御や、保全状態情報Ａ３及び対称表示情報Ｂ３に基づく制御も、同様に行われる。すなわち、機台制御装置５は、状態情報が入力されたとき、その状態情報と関連付けられた表示情報を読み込み、その表示情報に基づき、各ユニット制御部６０に信号を送ってランプ５１に機台表示を行わせる。勿論、機台制御装置５は、タワーランプ４による報知を併せて行っても良い。
【００８３】
以上のように、自動ワインダ１の状態又は状態変化に関する状態情報に、巻取ユニット２の表示部５０による表示に関する表示情報が関連付けられている。この表示情報に基づき、機台制御装置５が表示部５０に機台表示を行わせる。つまり、巻取ユニット２の表示部５０によって、巻取ユニット２の状態等だけでなく、自動ワインダ１の状態等も表示され、巻取ユニット２の前や周辺等にいるオペレータに自動ワインダ１の状態等が知らされる。したがって、自動ワインダ１の状態等を、オペレータに気づかせやすくすることができる。このような機台表示は、特に巻取ユニット２の前で作業をしているオペレータにとって最も気づきやすい表示であるが、例えば、単に巻取ユニット２の前を通過しているオペレータや、巻取ユニット２から離れた位置にいるオペレータにとっても、気づきやすい表示である。
【００８４】
また、全ての巻取ユニット２での糸巻取処理が停止しているときに、自動ワインダ１の状態等を示す表示が行われる。全ての巻取ユニット２での糸巻取処理が停止しているときには、巻取ユニット２自体の状態等を表示する必要がないため、そのタイミングで、表示部５０を用いて、自動ワインダ１の状態等に対応した機台表示を行うことができる。
【００８５】
また、自動ワインダ１が緊急停止中であることを示す緊急停止情報Ａ１が状態情報に含まれるので、自動ワインダ１が緊急停止したとき、巻取ユニット２の表示部５０によって機台表示がなされる。したがって、オペレータに緊急停止への対応を促すことができる。
【００８６】
また、自動ワインダ１の待機状態から、巻取ユニット２が糸巻取処理を開始することを示す処理開始情報Ａ２が状態情報に含まれるので、巻取ユニット２が糸巻取処理を開始する場合に、巻取ユニット２の表示部５０によって機台表示がなされる。このため、オペレータに、安全確保のため糸処理ユニットから離れることを促すことができる。
【００８７】
また、自動ワインダ１が保全モードであることを示す保全状態情報Ａ３が状態情報に含まれるので、自動ワインダ１が保全モードである場合に、巻取ユニット２の表示部５０によって機台表示がなされる。このため、オペレータが安心して巻取ユニット２のメンテナンス等を行うことができる。また、メンテナンスを行っていない他のオペレータにも、自動ワインダ１が保全モードであることを認識させ、誤って通常運転させること等を防止できる。
【００８８】
また、表示部５０のランプ５１が発する光によって、オペレータの注意を惹きやすくすることができる。
【００８９】
また、ランプ５１が点滅したとき、表示が目に留まりやすく、オペレータの注意を強く惹くことができる。
【００９０】
また、緊急停止情報Ａ１と、複数の巻取ユニット２のランプ５１を一斉に点滅させる一斉点滅表示情報Ｂ１とが関連付けられている。このため、複数の巻取ユニット２のランプ５１が一斉に点滅することで、自動ワインダ１が緊急停止中であることを示す表示がなされ、オペレータの注意を非常に強く喚起し、オペレータに緊急停止への対応を強く促すことができる。
【００９１】
また、処理開始情報Ａ２と、複数の巻取ユニット２のランプ５１による表示が、時間経過とともに左側から右側に向かって流れるように見える、流動表示情報Ｂ２とが関連付けられている。したがって、オペレータの目に留まりやすく、また、理解しやすい表示によって、オペレータの注意を強く惹き、オペレータに巻取ユニット２から迅速に離れることを確実に促すことができる。
【００９２】
また、糸巻取処理停止中の巻取ユニット２が糸巻取処理を開始するよりも前に糸巻取処理を予告する表示が行われ、所定時間経過後に糸処理が開始する。つまり、糸巻取処理に先立ってオペレータへの注意喚起がされるので、オペレータの安全を確実に確保することができる。
【００９３】
また、玉揚装置３の位置によっては、オペレータによるタワーランプ４の視認が妨げられるおそれがある場合でも、巻取ユニット２のランプ５１によって機台表示がなされるので、自動ワインダ１の状態等を迅速に知ることができる。
【００９４】
また、給糸ボビン供給装置８が一時的に停止すると、巻取ユニット２も給糸ボビン供給待ちの状態になり、糸巻取処理が一時的に停止する。その間に、オペレータが巻取ユニット２のメンテナンス等を行う場合がある。このように、糸巻取処理の一時停止等がしばしば起こりうる自動ワインダ１において、巻取ユニット２のランプ５１によって自動ワインダ１の状態等をオペレータに知らせることは有効である。
【００９５】
次に、前記実施形態に変更を加えた変形例について説明する。但し、前記実施形態と同様の構成を有するものについては、同じ符号を付して適宜その説明を省略する。
【００９６】
（１）前記実施形態においては、糸巻取処理停止中の巻取ユニット２が糸巻取処理を開始するにあたり、機台制御装置５は、流動表示を開始してから所定時間が経過するまでの間、ランプ５１に流動表示を行わせるものとしたが、これには限られない。例えば、機台制御装置５は、所定時間経過前に流動表示を終了させ、その後、所定時間経過後に巻取ユニット２に糸巻取処理を開始させても良い。
【００９７】
（２）前記までの実施形態においては、ランプ５１によって自動ワインダ１の状態等を表示するものとしたが、これには限られない。すなわち、文字表示部５２によって自動ワインダ１の状態等を表示しても良い。以下、図９及び図１０を用いて具体的に説明する。図９は、前述した状態情報と、文字表示部５２による表示に関する表示情報との関連付けを示すテーブルである。図１０は、文字表示部５２による表示の一例を示す図である。
【００９８】
例えば、図９に示すように、記憶部７には、文字表示情報Ｃ１、Ｃ３と時間表示情報Ｃ２とが記憶されている。文字表示情報Ｃ１は、自動ワインダ１が緊急停止したという状態変化を示す文字を表示するための情報である。時間表示情報Ｃ２は、糸巻取処理が停止している巻取ユニット２が糸巻取処理を開始するまでの残り時間を表示するための情報である。文字表示情報Ｃ１は、自動ワインダ１が保全モードであるという状態を示す文字を表示するための情報である。緊急停止情報Ａ１と文字表示情報Ｃ１、処理開始情報Ａ２と時間表示情報Ｃ２、保全状態情報Ａ３と文字表示情報Ｃ３が、それぞれ関連付けられている。
【００９９】
例えば、自動ワインダ１が緊急停止したという状態変化に対応する文字が「Ｅ２」であるとする。機台制御装置５は、緊急停止情報Ａ１が入力されたとき、文字表示情報Ｃ１に基づき、複数の巻取ユニット２のユニット制御部６０に信号を送り、文字表示部５２に「Ｅ２」と表示させる（図１０（ａ）参照）。これにより、オペレータに自動ワインダ１の状態等を詳細に知らせることができる。
【０１００】
また、自動ワインダ１の待機状態から、巻取ユニット２が糸巻取処理を開始する場合には、機台制御装置５は以下の制御を行う。すなわち、機台制御装置５は、処理開始情報Ａ２が入力された場合、時間表示情報Ｃ２及び表示開始からの経過時間に基づいて、各ユニット制御部６０に糸巻取処理開始までの残り時間の情報を送り、文字表示部５２に上記残り時間を表示させる（図１０（ｂ）参照）。図１０（ｂ）では、上記残り時間が２５秒であることが示されている。このような表示を行わせる場合としては、例えば、機台制御装置５に更新プログラムをインストールしているときに、インストール完了までの残り時間を表示させる場合等が挙げられる。これにより、巻取ユニット２から離れるタイミングについてオペレータの判断を促すことができる。以上のように、文字表示部５２によって、自動ワインダ１の状態等に応じて多くの種類の情報が表示可能である。したがって、文字表示部５２に表示される文字を見ることで、繊維機械の状態等を一目で知ることができる。勿論、ランプ５１を併用しても良い。
【０１０１】
（３）前記までの実施形態においては、ランプ５１による表示に関する３種類の表示情報が記憶部７に記憶されているものとしたが、他にも様々な表示情報が記憶部７に記憶されていても良い。例えば、図１１（ａ）に示すように、複数の巻取ユニット２のランプ５１を左側から右側へ順番に点灯させる順次点灯表示情報が記憶されていても良い。このような表示は、例えば前述したような一斉点滅表示ほどではなくても、オペレータの目に留まりやすく、また、理解しやすい表示である。このため、オペレータの注意を惹くとともに、オペレータに所定の行動を促すことができる。或いは、図１１（ｂ）に示すように、複数の巻取ユニット２のランプ５１を左側から右側へ順番に点滅させた後、右側から左側へ順番に点滅させる往復表示情報が記憶されていても良い。
【０１０２】
（４）状態情報と表示情報の関連付けは、前述したものに限られない。例えば、緊急停止情報Ａ１と流動表示情報Ｂ２が関連付けられていても良い。
【０１０３】
（５）状態情報は、前述したものに限られない。例えば、複数の巻取ユニット２が単に待機中であるという状態を示す待機状態情報が、記憶部７に記憶されていても良い。或いは、例えば、緊急停止情報Ａ１がさらに細分化され、異常が起こった装置ごとの緊急停止情報が記憶部７に記憶されていても良い。
【０１０４】
（６）流動表示情報を、オペレータの誘導のために用いても良い。例えば、給糸ボビン供給装置８で異常があった場合にも、自動ワインダ１全体が稼動停止する。このとき、左側から右側へ流れる流動表示を複数の巻取ユニット２のランプ５１に行わせることで、オペレータに、複数の巻取ユニット２よりも右方に配置された給糸ボビン供給装置８への移動を促すような設定になっていても良い。或いは、表示が右側から左側へ流れるような流動表示情報を記憶部７に記憶させ、複数の巻取ユニット２よりも左方に配置された機台制御装置５への移動を促すような設定になっていても良い。或いは、流動表示情報の代わりに、順次点灯表示情報をオペレータの誘導に用いても良い。
【０１０５】
（７）前記までの実施形態においては、表示部５０の５つのランプ５１（ランプ５１ａ〜５１ｅ）の全てが自動ワインダ１の状態等の表示に用いられるものとしたが、一部のランプのみが用いられても良い。また、各表示部５０のランプ５１の数は、５つに限られない。
【０１０６】
（８）ランプ５１に関する表示情報は、必ずしもランプ５１を点滅させる情報でなくても良く、ランプ５１を点灯のみさせる情報であっても良い。
【０１０７】
（９）前記までの実施形態においては、全ての巻取ユニット２の表示部５０に自動ワインダ１の状態等を表示させるものとしたが、これには限られない。すなわち、一部の巻取ユニット２の表示部５０のみに表示を行わせても良い。或いは、オペレータによるメンテナンス等が行われている巻取ユニット２の表示部のみを点灯或いは点滅させても良い。例えば、機台制御装置５が各ユニット制御部６０と通信を行い、メンテナンス中の巻取ユニット２にのみ表示情報を送る等しても良い。
【０１０８】
（１０）前記までの実施形態においては、ランプ５１は、赤と青の２種類の色を出力可能であるとしたが、これには限られない。２色よりも多くても良く、或いは１色でも良い。
【０１０９】
（１１）文字表示部５２は、７セグメント表示のディスプレイに限られない。例えば、漢字や画像等を表示可能に構成されていても良い。また、文字表示部５２は、液晶ディスプレイに限られず、有機ＥＬディスプレイ等でも良い。
【０１１０】
（１２）前記までの実施形態においては、機台制御部装置は、全ての巻取ユニット２での糸巻取処理が停止しているときに表示部５０に機台表示を行わせるものとしたが、これには限られない。巻取ユニット２が糸巻取処理中であっても、例えば、文字表示部５２に何らかの情報を表示させる等しても良い。
【０１１１】
（１３）前記までの実施形態においては、表示部５０は、ランプ５１と文字表示部５２の両方を有しているものとしたが、いずれか一方のみを有していても良い。また、表示部５０は、ユニット本体１０の上端部の前面以外の位置に設けられていても良い。
【０１１２】
（１４）前記までの実施形態においては、機台制御装置５が記憶部７を有するものとしたが、これには限られない。すなわち、機台制御装置５の外部に記憶部が設けられ、機台制御装置５と記憶部との間で通信を行う構成になっていても良い。
【０１１３】
（１５）本発明は、自動ワインダ１に限らず、空気精紡機や、オープンエンド精紡機、或いはリング精紡機等の、様々な繊維機械に適用可能である。例えば、空気精紡機（特開２０１６−２０４０６２号公報等参照）においては、紡績ユニットが本発明の糸処理ユニットに相当し、糸継台車が本発明の作業台車に相当する。
【符号の説明】
【０１１４】
１        自動ワインダ（繊維機械）
２        巻取ユニット（糸処理ユニット）
３        玉揚装置（作業台車）
４        タワーランプ（報知ランプ）
５        機台制御装置（機台制御部）
７        記憶部
５０      表示部
５１      ランプ
５２      文字表示部
Ａ１      緊急停止情報
Ａ２      処理開始情報
Ａ３      保全状態情報
Ｂ１      一斉点滅表示情報
Ｂ２      流動表示情報
Ｃ１      文字表示情報
Ｃ２      時間表示情報
【図１】
2018188270.tif 000003
【図２】
2018188270.tif 000004
【図３】
2018188270.tif 000005
【図４】
2018188270.tif 000006
【図５】
2018188270.tif 000007
【図６】
2018188270.tif 000008
【図７】
2018188270.tif 000009
【図８】
2018188270.tif 000010
【図９】
2018188270.tif 000011
【図１０】
2018188270.tif 000012
【図１１】
2018188270.tif 000013